(57)【要約】【課題】出力能力が異なる携帯端末機器間で交換した画像データを表示することができない。【解決手段】データ処理制御装置は、画像データ等の加工対象データを出力することができる出力装置の出力能力情報に基づいて加工対象データ加工し、当該加工対象データを加工した加工済データを出力装置に出力する。これにより、加工対象データは、出力装置の出力能力に応じたデータに変換されてるので、出力装置は、どのような加工対象データでも出力することができる。【選択図】図１
2004177987.tif 000002
【特許請求の範囲】
【請求項１】
出力要求装置からの出力要求に応じて特定のデータを出力装置に出力するデータ処理制御装置において、
上記出力要求とともに得られる加工対象データを特定する情報に基づいて、当該加工対象データとその属性情報及び上記出力装置の出力能力情報とを加工手段に提供する提供手段と、
上記属性情報と上記出力装置の出力能力情報に基づいて上記加工対象データを加工して加工済データを得る加工手段と、
上記加工済データを上記出力装置に出力する出力手段とを備えることを特徴とするデータ処理制御装置。
【請求項２】
上記提供手段が、加工対象データと、該加工対象データの属性情報と、出力能力情報とを記憶する記憶手段である請求項１に記載のデータ処理制御装置。
【請求項３】
上記提供手段が、加工対象データと、該加工対象データの属性情報とを記憶する記憶手段と、出力能力情報を出力装置より受ける通信制御手段である請求項１に記載のデータ処理制御装置。
【請求項４】
上記提供手段が、加工対象データと、該加工対象データの属性情報と、出力能力情報とを外部の機器より受ける通信制御手段である請求項１に記載のデータ処理制御装置。
【請求項５】
上記出力能力情報を提供する外部の機器が、上記出力装置又は上記出力要求装置である請求項４に記載のデータ処理制御装置。
【請求項６】
出力要求に先立て得られる特定の出力装置に対する加工対象データの抽出要求に対応して、出力要求装置へ、当該出力装置に対応する加工対象データを特定する情報を出力する抽出手段を備え、
上記提供手段が、出力要求装置が選択した特定の加工対象データの出力要求に対して、当該加工対象データを上記加工手段に提供する請求項２又は３に記載のデータ処理制御装置。
【請求項７】
上記加工対象データを特定する情報が、当該加工対象データの属性情報である請求項１に記載のデータ処理制御装置。
【請求項８】
上記通信制御手段にて取得された上記出力能力情報を上記記憶手段に格納する取得手段を備えた請求項３又は４に記載のデータ処理制御装置。
【請求項９】
上記取得手段が、上記通信制御手段にて取得された上記加工対象データと上記属性情報を上記記憶手段に格納する請求項８に記載のデータ処理制御装置。
【請求項１０】
さらに上記加工済データとその属性情報を上記記憶手段に格納する登録手段を備えた請求項２または３に記載のデータ処理制御装置。
【請求項１１】
上記登録手段は、出力装置を特定するための特定情報を上記加工済データとその属性情報に対応付けて上記記憶手段に格納する請求項１０に記載のデータ処理制御装置。
【請求項１２】
上記出力装置が、上記出力要求装置と同じ装置である請求項１に記載のデータ処理制御装置。
【請求項１３】
上記出力装置が、上記出力要求装置と異なる装置である請求項１に記載のデータ処理制御装置。
【請求項１４】
上記出力手段が、上記加工対象データを加工した旨を上記属性情報に含ませる請求項１に記載のデータ処理制御装置。
【請求項１５】
上記属性情報が、上記加工対象データのファイル名、解像度、ファイル形式、データサイズのうち少なくとも１つから構成される請求項１から１４のいずれか１項に記載のデータ処理制御装置。
【請求項１６】
上記加工対象データの属性情報は、当該加工対象データの加工の履歴情報を含み、
上記加工手段は、上記履歴情報と上記出力能力情報に基づいて加工対象データを加工するか否かを決定する請求項１から１４のいずれか１項に記載のデータ処理制御装置。
【請求項１７】
上記履歴情報は、加工対象データが加工されたか否かを示す請求項１６に記載のデータ処置制御装置。
【請求項１８】
上記加工手段は、上記履歴情報に、加工対象データを加工するときに出力能力情報が用いられた出力装置を特定するための特定情報を付加する請求項１７に記載のデータ処理制御装置。
【請求項１９】
上記加工は、上記加工対象データの解像度変換である請求項１から１８のいずれか１項に記載のデータ処理制御装置。
【請求項２０】
上記加工は、上記加工対象データの特定領域を削除することである請求項１から請求項１８のいずれか１項に記載のデータ処理制御装置。
【請求項２１】
上記出力装置は、携帯端末又はセットトップボックスを備えた受信機である請求項１から請求項１８のいずれか１項に記載のデータ処理制御装置。
【請求項２２】
上記特定情報は、ＩＰアドレスである請求項１１に記載のデータ処理制御装置。
【請求項２３】
上記取得手段が、上記出力要求装置からの出力装置への加工対象データの出力要求に対して、当該出力装置に出力能力情報を問い合わせる請求項８に記載のデータ処理制御装置。
【請求項２４】
上記加工対象データの出力要求に対して、上記出力能力情報と当該出力要求の加工対象データの属性情報に基づいて、加工対象データを出力する出力装置を選択する選択手段を備えた請求項１に記載のデータ処理制御装置。
【請求項２５】
上記出力装置が、印刷装置であり、出力要求が印刷要求である請求項２４に記載のデータ処理制御装置。
【請求項２６】
上記出力要求には、上記加工対象データ、上記属性情報、出力能力情報、特定情報のうち少なくとも１つが含まれる請求項１に記載のデータ処理制御装置。
【請求項２７】
出力要求装置からの出力要求に応じて特定のデータを出力装置に出力するデータ処理制御方法において、
上記出力要求とともに得られる加工対象データを特定する情報に基づいて、当該加工対象データとその属性情報及び上記出力装置の出力能力情報とを加工手段に提供する提供ステップと、
上記属性情報と上記出力装置の出力能力情報に基づいて上記加工対象データを加工して加工済データを得る加工ステップと、
上記加工済データを上記出力装置に出力する出力ステップとを備えることを特徴とするデータ処理制御方法。
【請求項２８】
上記加工対象データの出力要求に対して、上記出力能力情報と当該出力要求の加工対象データの属性情報に基づいて、当該加工対象データを出力する出力装置を選択する選択ステップを備えた請求項２７に記載のデータ処理制御方法。
【請求項２９】
上記出力装置が、印刷装置であり、出力要求が印刷要求である請求項２８に記載のデータ処理制御方法。
【請求項３０】
上記出力装置を充電器に装着する装着ステップと、
上記装着ステップにて充電器に装着された出力装置から、加工対象データと該加工対象データの属性情報を取得し、取得した加工対象データと該加工対象データの属性情報とを上記記憶手段に格納する取得ステップとから構成される請求項２７に記載のデータ処理制御方法。
【請求項３１】
出力要求装置からの出力要求に応じて特定のデータを出力装置に出力するデータ処理制御システムにおいて、
データ処理制御装置側に、
上記出力要求とともに得られる加工対象データを特定する情報に基づいて、当該加工対象データとその属性情報及び上記出力装置の出力能力情報とを加工手段に提供する提供手段と、
上記属性情報と上記出力装置の出力能力情報に基づいて上記加工対象データを加工して加工済データを得る加工手段と、
上記加工済データを上記出力装置に出力する出力手段とを備え、
上記出力要求装置側に、
上記出力要求と加工対象データを特定する情報を上記提供手段に送信する通信制御手段を備えることを特徴とするデータ処理制御システム。
【請求項３２】
上記加工対象データの出力要求に対して、上記出力能力情報と上記加工対象データの属性情報とに基づいて、当該加工対象データを出力する出力装置を選択する選択手段とを備えた請求項３１に記載のデータ処理制御システム。
【請求項３３】
上記出力装置が印刷装置であり、上記出力要求が印刷要求である請求項３２に記載のデータ処理制御システム。
【請求項３４】
上記出力装置が、上記出力要求装置と同じ装置である請求項３１に記載のデータ処理制御システム。
【請求項３５】
上記出力装置が、上記出力要求装置と異なる装置である請求項３１に記載のデータ処理制御システム。
【請求項３６】
上記出力要求装置から出力装置への加工対象データの出力要求に対して、当該出力装置に出力能力情報を問い合わせる取得手段をデータ処理制御装置側に備えた請求項３１に記載のデータ処理制御システム。
【発明の詳細な説明】
【０００１】
【発明の属する技術分野】
本発明は、複数の端末に転送するデータを加工又は管理するデータ処理制御装置、データ処理制御方法及びシステムに関する。
【０００２】
【従来の技術】
近年、デジタル技術及びネットワーク技術の進歩により、携帯端末は我々の身近なところで使われるようになってきている。携帯端末とは、携帯電話やＰＤＡ（Personal  DigitalAssistance）等がある。特に代表的な携帯電話は、電子メールの送受信や、ＷＷＷ（World Wide Wave）を利用した情報提供サービス等のインターネット接続サービスの機能が実装されたのを機に、爆発的に普及してきている。そして、次世代の携帯電話の通信方式であるW-CDMA（Wideband  Code  Division  Multiple  Access）などによれば、高速なデータ転送が可能になり、動画・音声によるリアルタイムの通信が可能となる。
【０００３】
また、上記インターネット接続サービスが実装された携帯電話はインターネットに接続することができ、携帯電話のユーザはインターネットを介して、画像データ等をダウンロードすることができる。また、ユーザはこのようにダウンロードした画像データを、携帯電話のモニタの壁紙として利用したり、メールの添付ファイルとして利用したりしている。
【０００４】
さらに、デジタル技術及びネットワーク技術の向上により、携帯電話等の携帯端末からサーバに格納されたデータを閲覧可能とするデータストレージサービス（フォトアルバムサービス）等が開発されている。このサービスを利用すれば、携帯端末にてサーバに格納された画像データ等を見ることができる。
【０００５】
【特許文献１】
特開２０００−２４２３８９
【０００６】
【特許文献２】
特開２００１−２６５６３１
【０００７】
【発明が解決しようとする課題】
しかし、携帯端末においては、小型化、軽量化を図るため、メモリの容量やモニタの大きさが制限され、そのためモニタの解像度（画素数）はテレビやパソコンのモニタに比べて極めて低い。したがって、上記データストレージサービスのサーバにピクセル数４８０（横）×６４０（縦）の画像データが格納されていても、例えば１２０（横）×１６０（縦）ドットの携帯端末のモニタは、上記画像データを１／１６しか表示することができない。そのため、ユーザはモニタに表示されていない部分の画像を見るために、画像をスクロールさせなければならない。このように、低解像度のモニタでは、画像データ全体を同時に表示することができない場合があり、その場合ユーザは画像データの全体を把握し辛い。また、携帯端末の仕様には、モニタのドット数を超えるピクセル数の画像データを受信しない仕様があり、当然このような仕様の携帯端末においてはピクセル数の多い画像データをモニタに表示することができない。
【０００８】
さらに、携帯電話、ＰＤＡ等の携帯端末、パソコン等の端末機器が対応していないファイル形式（例えば、ＪＰＥＧ・ＧＩＦ・ＭＰＥＧ等）で作成された画像データがサーバに格納されていても、このような端末機器は画像データを表示することができない。
【０００９】
また、端末機器のモニタの表示能力は機種によって異なるので、表示能力が異なる他の端末機器から送られてきた画像データを端末機器のモニタが表示できない場合がある。
【００１０】
そこで、本発明は上記事案に鑑みて提案されたものであって、画像データ等を端末機器の出力能力に適した形式に加工して端末機器に出力するデータ処理制御装置、データ処理制御方法及びデータ処理制御システムを提供することを目的とする。
【００１１】
【課題を解決するための手段】
本発明のデータ処理制御装置は、出力要求装置から発せられた出力装置への加工対象データの出力要求があると、当該出力装置（例えば、モニタ）の出力能力に応じて加工対象データを加工済データに加工し、当該加工済データを上記出力装置に出力する。
【００１２】
上記加工対象データの加工は、上記データ処理制御装置に備えられた加工手段が行う。上記加工手段が出力装置の出力能力に応じて加工済データを生成するために、上記データ処理制御装置には上記加工対象データと該加工対象データの属性情報と、出力装置の出力能力情報とを加工手段に提供する提供手段が備えられている。
【００１３】
この提供手段は、データ処理制御装置に備えられた加工対象データと属性情報と出力能力情報を記憶している記憶手段、又は加工対象データと属性情報と出力能力情報を保持している外部の機器と通信することができる通信制御手段を用いることができる。
【００１４】
また、上記提供手段を、上記記憶手段と上記通信制御手段の２つの手段から構成してもよい。例えば加工対象データの加工に必要な加工対象データ、属性情報、出力能力情報のうち、加工対象データと属性情報を記憶手段が保持し、出力能力情報を外部の機器が保持しておく。
【００１５】
このように出力装置の出力能力に応じて加工対象データを加工することで、加工対象データの属性に関わらず、出力装置のモニタ等に加工済データを出力することができる。
【００１６】
なお出力要求装置と出力装置は異なる装置でも同一の装置でもよい。同一の装置の場合、出力要求装置に、当該出力要求装置の出力能力に応じた加工済データが出力されることになる。
【００１７】
【発明の実施の形態】
図１に示す本発明のデータ処理制御装置１００は、提供手段１１２としての記憶手段１０１を備え、当該記憶手段１０１には、下記の出力装置１２０Ｂの出力能力情報２００が記憶されている。上記出力能力情報２００とは、携帯電話、ＰＤＡ、パソコン、テレビ等の出力装置１２０の出力能力に関する情報である。上記データ処理制御装置１００は、プリンタや複写機などの画像形成装置・セットトップボックスやテレビなどの放送受信機・ゲートウェイ・ホームサーバなどにハードウエア、あるいはソフトウエアの形で備えられている。
【００１８】
該出力装置情報２００は、図２（ａ）に示すように所定の出力装置１２０Ｂを特定するための特定情報２０１と、当該出力装置１２０Ｂに備えられた表示手段１２１の出力能力に関する情報である出力能力情報２０２から構成されている。この特定情報２０１とは例えば、上記出力装置１２０ＢのＩＰアドレス、ＭＡＣアドレス、製造番号等、出力装置１２０Ｂを特定するための情報である。また上記出力能力情報２０２とは、上記表示手段１２１の解像度（ドット数）・出力可能なファイル形式（例えば、ＪＰＥＧ・ＧＩＦ・ＭＰＥＧ等）等から構成される情報である。
【００１９】
さらに、上記記憶手段１０１には、画像データ・映像データ等の加工対象データ２１２と、該加工対象データ２１２に関する情報である属性情報２１１とが対応付けられて記憶されている。上記属性情報２１１とは、図２（ｂ）に示すように上記加工対象データ２１２のファイル名・データサイズ・ピクセル数・ファイル形式（例えば、ＪＰＥＧ、ＧＩＦ、ＭＰＥＧ等）・加工対象データ２１２が記憶されたディレクトリ名から構成される情報である。
【００２０】
なお、上記記憶手段１０１への上記出力装置情報２００の登録は、例えば出力装置１２０Ｂのユーザが当該出力装置１２０Ｂとデータ処理制御装置１００とをＬＡＮやインターネット等を介して通信可能に接続し、当該出力装置１２０ＢのＲＯＭ等に記憶されている出力装置情報２００をデータ処理制御装置１００に送信することで行われる。このように送信された出力装置情報２００は、データ処理制御装置１００の通信制御手段１０９を介して取得手段１０２にて取得され、該取得手段１０２によって上記記憶手段１０１に登録される。
【００２１】
また、上記記憶手段１０１に記憶された加工対象データ２１２と属性情報２１１（以下、適宜「加工対象データ等」という）は、元々所定のＷＥＢサイト上や、上記出力装置１２０Ｂが備える記憶手段１２２やデータ処理制御装置１００に記憶された加工対象データを上記出力装置１２０Ｂに出力するための出力要求を出す出力要求装置１２０Ａや、ＣＤ−Ｒ、ＤＶＤ−Ｒ、ＳＤ―ｃａｒｄ等の記憶媒体に記憶されていたデータであってもよい。
【００２２】
ＷＥＢサイト上にある加工対象データ等の上記記憶手段１０１への登録は、例えばデータ処理制御装置１００のユーザが、当該データ処理制御装置１００をインターネットを介して所定のＷＥＢサイトに接続させることで行われる。即ち、データ処理制御装置１００のモニタ１２１に表示された所定の画像データをユーザがマウス等で選択すると、当該画像データ（加工対象データ２１２）と当該画像データの属性情報２１１を上記取得手段１０２が通信制御手段１０９を介して取得し、上記記憶手段１０１に登録する。
【００２３】
また、ＣＤ−Ｒ、ＤＶＤ−Ｒ、ＳＤ―ｃａｒｄ等の記憶媒体に記憶された加工対象データ等の上記記憶手段１０１への登録は、ユーザが各記憶媒体を上記データ処理制御装置１００に備えられたドライブに挿填すると、上記取得手段１０２が上記記憶媒体から加工対象データ等を取得し、上記記憶手段１０１に登録する。
【００２４】
出力装置１２０Ｂ、例えば携帯電話１２０Ｂの記憶手段１２２に記憶されている加工対象データ等の上記記憶手段１０１への登録は、携帯電話１２０Ｂとデータ処理制御装置１００とが通信可能な状態にて行われる。
【００２５】
例えば、携帯電話１２０Ｂのユーザは当該携帯電話１２０Ｂを無線ＬＡＮモードに切り替える。無線ＬＡＮモードに切り替わると、携帯電話１２０Ｂに備えられた通信制御手段１２３は現在当該無線ＬＡＮに接続されている外部機器の検出を行う。ここで、上記通信制御手段１２３は携帯電話１２０Ｂと無線ＬＡＮに接続された通信可能な外部機器として、上記データ処理制御装置１００と、ＳＴＢ（セットトップボックス）搭載の受信機を検出したこととする。なお、上記通信制御手段１２３が検出する外部機器は、当該通信制御手段１２３とＬＡＮケーブルやインターネットで接続されている外部機器であってもよい。
【００２６】
上記通信制御手段１２３が通信可能な外部機器として、上記データ処理制御装置１００と受信機を検出すると、携帯電話１００の表示制御手段１２４は図３（ａ）に示すように「現在通信可能な機器一覧」として「１．データ処理制御装置、２．受信機」を携帯電話１２０Ｂのモニタ１２１に表示する。
【００２７】
ここでユーザは、携帯電話１２０Ｂに備えられたカーソルキー等を用いて、携帯電話１２０Ｂの通信相手を選択する（ここでは、「１．データ処理制御装置」を選択する。）。このように通信相手が選択されると、上記通信制御手段１２３は、図３（ｂ）に示すように「１．加工対象データの出力要求、２．加工対象データの登録、３．加工対象データの送信要求」をモニタ１２１に表示する。ここでは、上記加工対象データ２１２を上記記憶手段１０１に登録するため、ユーザは「２．加工対象データの登録」を携帯電話１２０Ｂに備えられたカーソルキー等を用いて選択する。
【００２８】
「２．加工対象データの登録」が選択されると、上記表示制御手段１２４は、図３（ｃ）に示すよう上記記憶手段１２２に記憶されている加工対象データ２１２のファイル名の一覧をモニタ１２１に表示する。
【００２９】
ファイル名の一覧がモニタ１２１に表示されると、ユーザは上記記憶手段１０１に登録したい加工対象データ２１２のファイル名を携帯電話１２０Ｂのカーソルキー等を用いて選択する。なお、表示されたファイル名の全部を選択する場合は、ユーザはモニタ１２１の「全部を選択」と表示された領域を選択する。
【００３０】
以上のように登録の対象となる加工対象データ２１２が選択されると、上記通信制御手段１２３は、選択された加工対象データ２１２と該加工対象データ２１２の属性情報２１１と携帯電話１２０Ｂの特定情報２０１を上記データ処理制御装置１００に送信する。
【００３１】
上記取得手段１０２は、上記携帯電話１２０Ｂから送信された加工対象データ等と特定情報２０１を上記通信制御手段１０９を介して受信すると、受信した加工対象データ等を記憶手段１０１に登録する。
【００３２】
なお、出力要求装置１２０Ａに記憶された加工対象データの記憶手段１０１への登録は、出力装置１２０Ｂに記憶された加工対象データの記憶手段１０１への登録と同じ方法で行うことができる。
【００３３】
なお、図４に示す上記出力要求装置１２０Ａ及び出力装置１２０Ｂの充電器４００に、当該充電器４００に装着された上記出力要求装置１２０Ａ及び出力装置１２０Ｂの記憶手段１２２に記憶された加工対象データ等を、上記データ処理制御装置１００の取得手段１０２に転送する転送手段４０１を備えてもよい。充電器４００に転送手段４０１を備えておくことで、充電時間を利用して、出力要求装置１２０Ａ及び出力装置１２０Ｂに記憶されている加工対象データ等を上記データ処理制御装置１００に転送することができる。
【００３４】
以上のようにして、上記出力能力情報２０２と特定情報２０１とが上記記憶手段１０１に記憶された出力装置１２０Ｂに、上記記憶手段１０１に記憶された加工対象データ２１２を出力する場合について説明する。
【００３５】
なお、以下の実施の形態１〜６においては、１台の携帯電話が出力装置１２０Ｂと出力要求装置１２０Ａを兼ねている場合があるので、実施の形態１〜７において携帯電話が出力要求装置１２０Ａとして機能する場合、携帯電話の参照符号を１２０Ａとし、出力装置１２０Ｂとして機能する場合、携帯電話の参照符号を１２０Ｂとしている。
【００３６】
（実施の形態１）
本実施の形態及び実施の形態２、３においては携帯電話が出力要求装置１２０Ａと出力装置１２０Ｂの機能を兼ねている。
携帯電話１２０Ａのユーザは上記記憶手段１０１に記憶されている加工対象データ２１２の中から、携帯電話１２０Ｂのモニタ１２１の壁紙にする画像を選択するため、上記記憶手段１０１に記憶されている加工対象データ２１２の一覧を携帯電話１２０Ａに表示させる作業を行う。
【００３７】
まずユーザは、図３（ａ）に示すように携帯電話１２０Ａの通信相手として上記データ処理制御装置１００を選択し、続いて図３（ｂ）の「１．加工対象データの出力要求」を選択する。「１．加工対象データの出力要求」が選択されると、データ処理装置１００の記憶手段１０１に記憶された加工対象データ２１２を取得するために、上記通信制御手段１２３は、まず加工対象データ２１２の抽出要求と当該携帯電話１２０Ａの特定情報２０１を上記データ処理制御装置１００に送信する（図５、Ｓ５０１）。
【００３８】
上記通信制御手段１２３から送信された抽出要求と携帯電話１２０Ａの特定情報２０１は上記データ処理制御装置１００の通信制御手段１０９を介して抽出手段１０４にて取得される（図５、Ｓ５０２）。上記抽出手段１０４は、抽出要求と特定情報２０１を取得すると、上記記憶手段１０１に記憶されている属性情報２１１を全部取得し、該属性情報２１１を上記通信制御手段１０９を介して上記携帯電話１２０Ａに送信する（図５、Ｓ５０３）。
【００３９】
上記抽出手段１０４から送信された属性情報２１１は、上記通信制御手段１２３を介して上記表示制御手段１２４にて取得される。属性情報２１１を取得すると、該表示制御手段１２４は図６（ａ）に示すようにモニタ１２１に当該属性情報２１１を表示する（図５、Ｓ５０４）。なお、ここでの表示は、ユーザが加工対象データ２１２の内容を知ることを目的とするため、上記表示制御手段１２４は上記属性情報２１１のうちファイル名・ピクセル数・データサイズ・ファイル形式のみを表示している。
【００４０】
ここでユーザは、モニタ１２１を参照し、図６（ｂ）に示すように壁紙にする加工対象データ２１２のレコード（ファイル名・ピクセル数・データサイズ・ファイル形式）を携帯電話１２０Ａのカーソルキー等を用いて選択する（図５、Ｓ５０５）。
【００４１】
上記表示制御手段１２４は、加工対象データ２１２のレコードが選択されると、図６（ｃ）に示すように選択されたレコードに対応する加工対象データ２１２の属性情報２１１と、モニタ１２１の出力能力情報２０２（ドット数等）とを表示する。さらに、表示制御手段１２４は、当該加工対象データ２１２をモニタ１２１の表示能力に適した形式に加工させるか否かをユーザに選択させる選択枝（「ＹＥＳ」・「ＮＯ」）をモニタ１２１に表示する。ここでは、ユーザは携帯電話１２０Ａのカーソルキーを用いて、図６（ｃ）に示す「ＹＥＳ」を選択したこととする（図５、Ｓ５０６）。
【００４２】
「ＹＥＳ」が選択されると、上記通信制御手段１２３は選択された加工対象データ２１２の出力要求と、当該加工対象データ２１２のファイル名及びディレクトリ名と、当該携帯電話１２０Ｂの特定情報２０１とを上記データ処理制御装置１００に送信する（図５、Ｓ５０７）。
【００４３】
上記データ処理制御装置１００の抽出手段１０４は出力要求と、ファイル名とディレクトリ名とを上記通信制御手段１０９を介して受信すると、受信したファイル名とディレクトリ名に対応する加工対象データ２１２と属性情報２１１とを上記記憶手段１０１から取得し、該加工対象データ２１２と属性情報２１１を加工手段１０５に入力する。さらに、上記抽出手段１０４は、受信した特定情報２０１と対応する出力能力情報２０２を上記記憶手段１０１から取得し、当該出力能力情報２０２と特定情報２０１を上記加工手段１０５に入力する（図５、Ｓ５０８）。
【００４４】
上記加工手段１０５は、上記抽出手段１０４から入力された属性情報２１１のファイル形式と、携帯電話１２０Ｂの出力能力情報２０２のファイル形式とを比較し、ファイル形式を変換しなくても加工対象データ２１２を携帯電話１２０Ｂのモニタ１２１が表示できるか否かを判断する（図５、Ｓ５０９）。
【００４５】
表示することができないと判断すると、上記加工手段１０５は、入力された加工対象データ２１２のファイル形式を、上記出力能力情報２０２に含まれる所定のファイル形式に変換し、次の処理に移行する（図５、Ｓ５１０）。また加工手段１０５は表示することができると判断するとファイル形式を変換せずに次の処理に移行する。
【００４６】
次に上記加工手段１０５は、上記出力能力情報２０２のドット数と属性情報２１１のピクセル数を比較し、ドット数とピクセル数が異なる場合、加工対象データ２１２の解像度変換を行う（図５、Ｓ５１１〜Ｓ５１２）。例えば、当該出力能力情報２０２のドット数（即ち、携帯電話１２０Ｂのモニタ１２１のドット数）が１２０（横）×１６０（縦）であり、属性情報２１１（加工対象データ２１２）のピクセル数が２４０（横）×３２０（縦）である場合、上記加工手段１０５は加工対象データ２１２のピクセル数とモニタ１２１のドット数が同じになるように（加工対象データ２１２のピクセル数が１／４になるように）解像度変換を行う。なお、上記加工手段１０５は上記加工対象データ２１２のファイル形式や、解像度変換に応じて、上記属性情報２１１のファイル形式、ピクセル数を変更する。
【００４７】
上記加工手段１０５は、解像度変換を完了すると、加工後のデータ３１２（以下、「加工済データ３１２」という）と当該加工済データ３１２の属性情報３１１と特定情報２０１を出力手段１０６に出力する。上記出力手段１０６は、加工済データ３１２と属性情報３１１と特定情報２０１を取得すると、当該特定情報２０１が示す携帯電話１２０Ｂに、上記通信制御手段１０９を介して当該加工済データ３１２と属性情報３１１を出力する（図５、Ｓ５１３）。
【００４８】
上記出力手段１０６から出力された上記加工済データ３１２と属性情報３１１は、上記通信制御手段１２３にて取得される。当該通信制御手段１２３が加工済データ３１２と属性情報３１１とを取得すると、上記表示制御手段１２４は当該属性情報３１１に基づいて加工済データ３１２をモニタ１２１に表示したり、上記記憶手段１２２に格納したりする（図５、Ｓ５１４）。
【００４９】
以上のように、携帯電話１２０Ａのユーザは、出力要求と抽出要求とを送信するだけで、携帯電話１２０Ｂのモニタ１２１に、本来のピクセル数がモニタ１２１のドット数よりも多い画像データの全体を表示することができる。また上記のように、加工対象データ２１２のファイル形式の変換を行うことで、携帯電話１２０Ｂのモニタ１２１が加工前の加工対象データ２１２のファイル形式の表示機能を持っていない場合であっても、加工対象データ２１２をモニタ１２１に表示することができる。また、加工対象データ２１２の解像度変換等の加工は上記データ処理制御装置１００にて行われるので、上記携帯電話１２０Ａは加工対象データ２１２の加工に関わることがないため、携帯電話１２０ＡのＣＰＵ等が加工処理のために占有されることがない。
【００５０】
なお、携帯電話１２０Ａのユーザが図６（ｃ）に示す「ＮＯ」を選択した場合、上記通信制御手段１２３は、上記出力要求をデータ処理制御装置１００に送信せずに、上記加工対象データ２１２のファイル名及びディレクトリ名と当該携帯電話１２０Ｂの特定情報２０１のみを上記データ処理制御装置１００に送信する（図５、Ｓ５１５）。上記抽出手段１０４は、出力要求を受信せずにファイル名及びディレクトリ名と当該携帯電話１２０Ｂの特定情報２０１とを受信した場合、ファイル名とディレクトリ名に対応する加工対象データ２１２と属性情報２１１とを上記記憶手段１０１から取得する。そして、上記抽出手段１０４は受信した特定情報２０１と、取得した加工対象データ２１２と属性情報２１１を、上記加工手段１０５に入力せずに、上記出力手段１０６に入力する。上記出力手段１０６は、入力された加工対象データ２１２と属性情報２１１を上記通信制御手段１０９を介して特定情報２０１にて特定される携帯電話１２０Ｂに出力する（図５、Ｓ５１３）。
【００５１】
また、上記加工手段１０５が行う解像度変換は、縦方向の解像度変換と横方向の解像度変換の変換比が異なるようにしてもよい。例えばモニタ１２１のドット数が１２０（横）×１４３（縦）であり、加工対象データ２１２のピクセル数３６０（横）×２８６（縦）である場合、上記加工手段１０５は加工対象データ２１２の横方向のピクセル数を１／３にし、縦方向のピクセル数を１／２にしてもよい。
【００５２】
さらに、上記では加工対象データ２１２とその属性情報２１１と携帯電話１２０Ｂの特定情報２０１と出力能力情報２０２が予め上記記憶手段１０１に記憶されている場合について説明したが、特定情報２０１と出力能力情報２０２が上記記憶手段１０１に記憶されていない場合、上記抽出手段１０４は上記携帯電話１２０Ａから送信される特定情報２０１に対応する出力能力情報２０２を上記記憶手段１０１から取得することができない。上記記憶手段１０１から出力能力情報２０２が取得できない場合、上記抽出手段１０４は、通信制御手段１０９を介して上記携帯電話１２０Ｂに出力能力情報２０２の問い合わせを行う。
【００５３】
上記抽出手段１０４は、上記問い合わせに対応して上記携帯電話１２０Ｂから出力能力情報２０２が送られてくると、当該出力能力情報２０２と、携帯電話１２０Ｂの特定情報２０１を上記加工手段１０５に入力する。この場合、記憶手段１０１が加工対象データ２１２とその属性情報２１１の提供手段１１２となり、通信制御手段１０９が出力能力情報２０２についての提供手段１１２となる。なお、上記抽出手段１０４は、ここで送られてきた出力能力情報２０２と特定情報２０１を上記記憶手段１０１に登録してもよい。
【００５４】
また、提供手段１１２としての記憶手段１０１が、データ処理制御装置１００に備えられていない場合、通信制御手段１０９が加工対象データ２１２とその属性情報２１１と携帯電話１２０Ｂの出力装置情報２００の提供手段１１２となる。
【００５５】
例えば携帯電話１２０Ａの記憶手段１２２にＷＥＢサイトから取得された未加工の画像データ（加工対象データ２１２）が格納されている場合を想定する。このとき、携帯電話１２０Ａのユーザが、図３（ｂ）に示す「１．加工対象データの出力要求」を選択すると、上記表示制御手段１２４は、図６（ａ）に示すように記憶手段１２２に記憶された加工対象データ２１２の属性情報２１１の一覧をモニタ１２１に表示する。ユーザは、表示された属性情報２１１の中から壁紙にしたい加工対象データ２１２のレコードを選択する。レコードが選択されると、上記通信制御手段１２３は、選択された加工対象データ２１２とその属性情報２１１を記憶手段１２２から取得し、当該加工対象データ２１２とその属性情報２１１と出力要求と携帯電話１２０Ｂの出力能力情報２００をデータ処理制御装置１００に送信する。
【００５６】
上記抽出手段１０４は、通信制御手段１０９を介して加工対象データ２１２とその属性情報２１１と出力要求と出力能力情報２００を受け取ると、これらを上記記憶手段１０１に登録する。なお、ここでは加工対象データ２１２を記憶手段１０１に登録することにしているが、必ずしも登録の必要はない。
【００５７】
さらに上記抽出手段１０４は、受信した加工対象データ２１２とその属性情報２１１と出力能力情報２００を上記加工手段１０５に入力する。これにより上記したように加工対象データ２１２と属性情報２１１は、携帯電話１２０Ｂから送信された加工対象データ２１２とその属性情報２１１と出力能力情報２００に基づいて所定のファイル形式、または解像度に加工されて携帯電話１２０Ｂに入力されることになる（図５、ステップＳ５０８〜Ｓ５１４）。
【００５８】
ところで、加工対象データ２１２の加工の時間を省くために、加工手段１０５にて生成された加工済データ３１２は、図７に示すよう登録手段１１１にて上記記憶手段１０１の所定のディレクトリに記憶させ、それの属性情報３１１と対応付けるようにするのが好ましい。
【００５９】
すなわち、まず、以下に説明するように、特定の加工対象データ２１２が加工されたときに生成される加工済データ３１２は記憶手段１０１の所定のディレクトリに格納されることになる。このとき、当該特定の加工対象データ２１２の属性情報２１１に、図７に示すように、加工済データ３１２が記憶手段１０１上に存在することを示す履歴情報２１１ｄ（図７では２１１ｄａ、２１１ｄｂ）に、例えば、加工済データ３１２ａ、３１２ｂの記憶手段１０１上のディレクトリ名を含める。（属性情報２１１と記載したフィールドに上記ディレクトリ名も書き込む）
このとき、出力能力の異なる複数種類の携帯電話１２０Ａから、同じ加工対象データ２１２に対する出力要求があったときには、対応する数の履歴情報２１１ｄが加工対象データ２１２の属性情報２１１に含められることになる。
【００６０】
この状態で、上記のように出力要求とファイル名とディレクトリ名と特定情報２０１を受信すると、抽出手段１０４は上記記憶手段１０１から加工対象データ２１２とその属性情報２１１と出力能力情報２０２を取得する。次いで、当該抽出手段１０４は、取得した属性情報２１１に履歴情報２１１ｄが含まれているか否かを判断する（図５、Ｓ５０８→図８、Ｓ８０１）。
【００６１】
上記判断処理において上記抽出手段１０４は、属性情報２１１に履歴情報２１１ｄが含まれていると判断すると、当該履歴情報２１１ｄ（履歴情報が複数あるときは最初の履歴情報２１１ｄａ）が示すディレクトリから加工済データ３１２ａの属性情報３１１ａを取得する（図８、Ｓ８０２）。次いで、上記抽出手段１０４は、取得した加工済データ３１２ａとその属性情報３１１ａと出力能力情報２０２を上記加工手段１０５に入力する。
【００６２】
上記加工手段１０５は、入力された属性情報３１１ａの中に携帯電話１２０Ｂの出力能力情報２０２のファイル形式と同じファイル形式が含まれているか、および、当該属性情報３１１のピクセル数と携帯電話１２０Ｂの出力能力情報２０２のドット数が同じであるか否かを判断する（図８、Ｓ８０３→Ｓ８０４）。
【００６３】
ここで、上記両方の判断が肯定回答であると、上記加工手段１０５は、当該属性情報３１１ａと、当該属性情報３１１ａに対応する加工済データ３１２ａを上記特定情報２０１共に上記出力手段１０６に転送する。当該出力手段１０６は通信制御手段１０９を介して当該加工済データ３１２ａとその属性情報３１１ａを携帯電話１２０Ｂに送信することになる（図５、Ｓ５１３）。
【００６４】
上記の加工手段１０５での各判断処理で否定回答が得られたとき、当該加工手段１０５は抽出手段１０４に否定回答を得た旨を通知する。当該通知を受けると、上記抽出手段１０４は、次の履歴情報２１１ｄｂに基づいて加工済データ３１２ｂとその属性情報３１１ｂを取得し、上記加工手段１０５に入力する（図８、Ｓ８０５、ＹＥＳ→Ｓ８０２）。
【００６５】
否定回答を得た旨の通知を受けたときに、次の履歴情報２１１ｄｂが加工対象データ２１２の属性情報２１１に含まれていないとき、抽出手段１０４は、加工手段１０５に加工対象データ２１２とその属性情報２１１を入力する。加工手段１０５は、加工対象データ２１２とその属性情報２１１が入力されると、上記のように加工対象データ２１２の加工を行う（図８、Ｓ８０５、ＮＯ→図５、Ｓ５０８）。なお、上記抽出手段１０４が上記履歴情報２１１ｄが含まれているか否かの判断処理の手順（図８、Ｓ８０１）で否定回答を得たときも、加工対象データ２１２が、上記のように上記加工手段１０５にて加工処理が行われる（図８、Ｓ８０１、ＮＯ→図５、Ｓ５０８）。
【００６６】
上記のように図８に示す加工済データ３１２を抽出しないで、図５に示す処理に移行するということは、出力要求のあった携帯電話１２０Ｂと同じ表示能力の携帯電話１２０Ｂに対応する加工済データ３１２は初めて生成されるということになる。そこで上記加工手段１０５は、生成した加工済データ３１２とその属性情報３１１を出力手段１０６に転送して出力装置１２０Ｂに送信すると共に、登録手段１１１に転送する。当該登録手段１１１は、当該加工済データ３１２とその属性情報３１１を関連付けて上記記憶手段１０１に格納するとともに、当該加工済データ３１２のディレクトリ名を履歴情報２１１ｄとして加工対象データ２１２の属性情報フィールドに書き込む。
【００６７】
これによって、次に携帯電話１２０Ｂと出力能力が同じ出力装置からの出力要求があったときに、図８に示すように抽出手段１０４と加工手段１０５が起動することになる。
【００６８】
以上のように以前に作成された加工済データ３１２を利用することで、加工対象データ２１２の加工の時間を省くことができる。
【００６９】
なお、上記履歴情報２１１ｄには、上記属性情報２１１に代えて出力要求を送信した携帯電話１２０Ｂの特定情報２０１を用いてもよい。この場合、上記加工手段１０５は、特定情報２０１を参照することで、加工済データ３１２がどの出力装置用に加工された加工対象データ２１２であるかが分かる。即ち、履歴情報２１１ｄの特定情報２０１と出力要求と共に送信された特定情報２０１が一致するとき、特定の加工対象データ２１２が当該出力要求を送信した出力装置用に加工した加工済データ３１２が存在することになる。したがって、一致するときは、上記加工手段１０５は、上記記憶手段１０１に記憶された加工済データ３１２を上記出力手段１０６に出力する。また、一致しないときは、加工手順はステップ５０８に移行し、上記加工手段１０５にて加工対象データ２１２が加工される。
【００７０】
（実施の形態２）
以上では、上記加工手段１０５は解像度変換を行って加工対象データ２１２のピクセル数とモニタ１２１のドット数とを同じにしているが、例えば加工対象データ２１２のピクセル数が１４０（横）×２００（縦）であり、携帯電話１２０Ｂのモニタ１２１のドット数が１２０（横）×１６０（縦）の場合、加工対象データ２１２の左右両端から１０ピクセル、上下両端から２０ピクセルのデータを削除して、加工対象データ２１２のピクセル数とモニタ１２１のドット数を同じにしてもよい。
【００７１】
なお、上記加工手段１０５は、上下端から又は左右端から同じピクセル数を削除するようにしても、または、例えば加工対象データ２１２の下側や、左側のピクセルを優先的に削除したり、または、例えば上端の５ピクセルと下端の３５ピクセル、左端から１５とピクセル右端から５ピクセルを削除するようにしてもよい。
【００７２】
また、以上のように上記加工手段１０５が削除するピクセルは、例えばデータ処理制御装置１００のユーザが予め加工手段１０５にプログラムとして設定しておいてもよい。しかし、予め設定されたピクセルを削除する場合、必ずしも携帯電話１２０Ｂのユーザが希望するピクセル（所定の画像領域）が削除されるわけでない。
【００７３】
そこで上記加工手段１０５は、ピクセルを削除する前の状態の加工対象データ２１２と属性情報２１１をバッファ１１０に格納する。次に、加工手段１０５は抽出手段１０４から取得した加工対象データ２１２の所定のピクセルを削除する。もちろん、加工手段１０５はピクセルの削除に伴い属性情報２１１も変更する。
【００７４】
続いて、加工手段１０５は所定のピクセルを削除した加工済データ３１２と、属性情報３１１と、どのピクセルを削除したかを示す削除情報と、削除領域の確認要求を特定情報２０１を用いて上記出力手段１０６と通信制御手段１０９を介して上記携帯電話１２０Ｂに送信する。
【００７５】
上記携帯電話１２０Ｂの通信制御手段１２３は上記出力手段１０６から送信された加工済データ３１２、属性情報３１１、削除情報、確認要求を取得すると、取得した加工済データ３１２、属性情報３１１、削除情報、確認要求を上記表示制御手段１２４に転送する。ここで上記表示制御手段１２４は図９（ａ）に示すようにモニタ１２１に属性情報３１１を用いて当該加工済データ３１２と、「この画像でよろしいですか」いう確認を表示する。
【００７６】
ここで、ユーザが携帯電話１２０Ｂの所定のキーを用いて「ＹＥＳ」を選択すると、表示制御手段１２４は、加工済データ３１２と属性情報３１１を上記記憶手段１２２に格納する。さらに、ユーザが上記のように「ＹＥＳ」を選択すると、上記通信制御手段１２３は、上記バッファ１１０に格納された加工対象データ２１２と属性情報２１１の削除を指示する信号を上記データ処理制御装置１００に送信する。当該信号は通信制御手段１０９を介して上記加工手段１０５にて受信され、加工手段１０５は加工対象データ２１２と属性情報２１１をバッファ１１０から削除する。
【００７７】
一方、ユーザが携帯電話１２０Ｂの所定のキーを用いて「ＮＯ」を選択すると、上記表示制御手段１２４はモニタ１２１に図９（ｂ）に示すような加工済データ３１２の削除情報を表示する。ここでユーザは加工済データ３１２の上下左右端から削除するピクセル数を携帯電話１２０Ｂのカーソルキーやテンキー等を用いて、削除情報が表示されている入力欄に入力する。
【００７８】
ここで入力された値は、上記通信制御手段１２３にて上記データ処理制御装置１００に送信され、該データ処理制御装置１００の加工手段１０５にて取得される。上記加工手段１０５は、バッファ１１０に記憶されている加工対象データ２１２と属性情報２１１とを取得し、当該取得した加工対象データ２１２からユーザが入力した値に基づいて所定のピクセルを削除する。
【００７９】
所定のピクセルを削除すると、上記加工手段１０５は、所定のピクセルを削除した加工済データ３１２と属性情報３１１と特定情報２０１を上記出力手段１０６に出力する。もちろん、加工手段１０５はピクセルの削除に伴い属性情報３１１も変更している。
【００８０】
上記出力手段１０６は加工済データ３１２と属性情報３１１を取得すると、上記通信制御手段１０９を介して上記携帯電話１２０Ｂに加工済データ３１２と属性情報３１１とを送信する。上記通信制御手段１２３は、加工済データ３１２と属性情報３１１とを取得すると、取得した加工済データ３１２と属性情報３１１を上記表示制御手段１２４に転送する。当該表示制御手段１２４は転送された属性情報３１１に基づいて、加工済データ３１２をモニタ１２１に表示すると共に、上記記憶手段１２２に加工済データ３１２と属性情報３１１とを格納する。
（実施の形態３）
上記図７あるいは図８においては、加工済データ３１２と属性情報３１１のディレクトリ名は、上記加工対象データ２１２の属性情報２１１が記述されるフィールドに履歴情報２１１ｄとして記述するようにしたが、これに代わって、携帯電話１２０Ｂの記憶手段１２２に上記履歴情報２１１ｄを記憶させるようにしてもよい。
【００８１】
この場合も、実施の形態１のように上記登録手段１１１は、加工手段１０５から転送された加工済データ３１２とその属性情報３１１を記憶手段１０１の所定のディレクトリに記憶させる。
【００８２】
上記登録手段１１１は、加工済データ３１２と属性情報３１１を上記記憶手段１０１に記憶させると、当該加工済データ３１２を記憶したディレクトリ名を上記出力手段１０６に転送する。
【００８３】
上記出力手段１０６は、実施の形態１のように加工手段１０５から転送された属性情報３１１（ドット数等）に上記登録手段１１１から転送されたディレクトリ名を履歴情報２１１ｄとして含ませる。上記出力手段１０６は、属性情報３１１にディレクトリ名を含ませると、当該属性情報３１１と加工済データ３１２を加工手段１０５から転送された特定情報２０１が示す携帯電話１２０Ｂに上記通信制御手段１０９を介して出力する。
【００８４】
上記出力手段１０６から出力された加工済データ３１２と上記属性情報３１１は、上記携帯電話１２０Ｂの通信制御手段１２３にて取得されると、互いに対応付けられて上記記憶手段１２２に格納される。
【００８５】
ところで、携帯電話１２０Ｂの記憶手段１２２の容量は一般的に小さいので、ユーザが必要でなくなった加工済データ３１２を記憶手段１２２から削除してしまうことがある。しかしその後、ユーザは削除した加工済データ３１２を携帯電話１２０Ｂのモニタ１２１に表示したい場合がある。この場合、モニタ１２１の出力能力に応じて加工された加工対象データ２１２（加工済データ３１２）は、上記データ処理制御装置１００の記憶手段１０１に記憶されているので、ユーザはデータ処理制御装置１００から当該加工済データ３１２を取得するために以下のような作業を行う。
【００８６】
まずユーザは、携帯電話１２０Ａのメニューキーを押下して、上記表示制御手段１２４に、図１０（ａ）に示すようなメニューを表示させる。次に、ユーザが、携帯電話１２０Ａの所定のカーソルキーを用いて図１０（ａ）の「１．属性情報の表示」を選択する。「１．属性情報の表示」が選択されると、表示制御手段１２４は、記憶手段１２２に記憶された属性情報２１１の中から、図１０（ｂ）に示すように履歴情報２１１ｄとしてのディレクトリ名が含まれる属性情報３１１の一覧をモニタ１２１に表示する。ユーザは図１０（ｂ）のようにモニタ１２１に表示された属性情報３１１の中から所定の属性情報３１１を携帯電話１２０Ａのカーソルキー等で選択する。
【００８７】
このとき上記記憶手段１２２に、例えばＷＥＢサイトから取得された未加工の加工対象データ２１２等の属性情報２１１も記憶されていたとしても、ディレクトリ名が含まれた属性情報３１１を記憶手段１２２に記憶しておくことで、上記表示制御手段１２４は、ディレクトリ名が含まれた属性情報３１１のみをモニタ１２１に表示することができる。これによって、ユーザは、表示したい加工済データ３１２の属性情報３１１を容易に見つけることができる。
【００８８】
ユーザにて所定の属性情報３１１が選択されると、上記通信制御手段１２３は選択された属性情報３１１のディレクトリ名を記憶手段１２２から取得し、取得したディレクトリ名と、選択された属性情報３１１のファイル名と、加工済データ３１２の取得要求を上記データ処理制御装置１００に送信する。
【００８９】
データ処理制御装置１００の抽出手段１０４は上記取得要求等を上記通信制御手段１０９を介して受信すると、当該取得要求と共に受信したディレクトリ名とファイル名とに対応する加工済データ３１２を上記記憶手段１０１から取得する。従って、抽出手段１０４は、加工済データ３１２の抽出のために、実施の形態１のように加工対象データ２１２の属性情報２１１に含まれる履歴情報２１１ｄを参照する必要はない。
【００９０】
上記抽出手段１０４は特定情報２０１と取得した加工済データ３１２を上記出力手段１０６に転送し、出力手段１０６は上記携帯電話１２０Ｂに上記通信制御手段１０９を介して加工済データ３１２を送信する。
【００９１】
なお、図１０（ｂ）に示すよう属性情報３１１の一覧をモニタ１２１に表示する機能を携帯電話１２０Ｂに備えることで、ユーザは、携帯電話１２０Ｂ用に加工した加工対象データ２１２を常に確認することができる。
【００９２】
（実施の形態４）
実施の形態の１に記載のように、携帯電話１２０Ａのユーザは、出力手段１０６から出力された加工済データ３１２をモニタ１２１で確認してから当該加工済データ３１２を印刷したい場合が想定される。
【００９３】
一方、事業所等では、複数種類の印刷装置を備えることがあるが、この場合、この複数の印刷装置の中からユーザが所望する印刷装置で加工済データ３１２を印刷することができるようにしておくと、所定の印刷品質を確保することができることになる。
【００９４】
上記のような観点から、上記複数の各印刷装置の特定情報と、印刷装置の印刷能力に関する情報である印刷能力情報を上記データ処理制御装置１００の記憶手段１０１に予め記憶させておく。印刷装置の特定情報と印刷能力情報の上記記憶手段１０１への登録は、上記携帯電話１２０Ｂの特定情報２０１と出力能力情報２０２の登録方法と同様の方法を用いて行うことができる。
【００９５】
また印刷装置の特定情報とは、印刷装置を特定するための情報であり、例えば印刷装置の製品名、製造番号、ＩＰアドレス、ＭＡＣアドレス等である。印刷能力情報とは、印刷装置の解像度や、印刷装置が印刷することができるファイル形式等から構成される情報である。なお、上記印刷装置とは、データ処理制御装置１００とは別の装置（例えば、データ処理制御装置１００とＬＡＮで接続されたプリンタ）であっても、またデータ処理制御装置１００を備えたプリンタであっても良い。
【００９６】
以上のような情報が記憶手段１０１に記憶された状態で、加工済データ３１２を所望の印刷装置で印刷するために、携帯電話１２０Ａのユーザは以下のような作業を行う。なお、本実施の形態及び実施の形態５においては、携帯電話が出力要求装置１２０Ａとして動作し、印刷装置が出力装置１２０Ｂとして動作することになる。
【００９７】
実施の形態１のように加工済データ３１２が上記表示制御手段１２４にてモニタ１２１に表示された状態で、ユーザは、携帯電話１２０Ａのメニューキーを押下して図１０（ａ）に示す画面をモニタ１２１に表示させる。このとき当該加工済データ３１２とその属性情報３１１は、上記登録手段１１１にてデータ処理装置１００に備えられたバッファ１１０或は、記憶手段１０１の所定のディレクトリにも格納されていることを前提とする。
【００９８】
ここでユーザは携帯電話１２０Ａのカーソルキー等を用いて「２．加工済データの印刷」を選択する。「２．加工済データの印刷」が選択されると、上記通信制御手段１２３はメニューキーが押下される直前にモニタ１２１に表示されていた加工済データ３１２の属性情報３１１に含まれるファイル名とディレクトリ名とを記憶手段１２２から取得する。上記通信制御手段１２３は、取得したファイル名とディレクトリ名と印刷要求（出力要求）を上記データ処理制御装置１００に送信する。
【００９９】
ファイル名とディレクトリ名と上記印刷要求は上記通信制御手段１０９を介して上記データ処理制御装置１００の選択手段１０８にて受信される。ファイル名とディレクトリ名と上記印刷要求を受信すると、該選択手段１０８は、上記記憶手段１０１に登録されている印刷装置の特定情報と印刷能力情報を取得する。上記選択手段１０８は、取得した印刷装置の特定情報と印刷能力情報を上記通信制御手段１０９を介して携帯電話１２０Ａに送信する。
【０１００】
上記印刷装置の特定情報と印刷能力情報は、携帯電話１２０Ａの上記通信制御手段１２３を介して上記表示制御手段１２４に受信され、上記表示制御手段１２４にてモニタ１２１にリスト表示される。
【０１０１】
ここでユーザが上記特定情報と印刷能力情報を参照して加工済データ３１２の印刷を行う印刷装置を上記リストの中から選択すると、上記表示制御手段１２４は、選択された印刷装置の特定情報を上記選択手段１０８に送信する。
【０１０２】
上記選択手段１０８は、上記印刷要求と共に送信されたディレクトリ名とファイル名にて特定される加工済データ３１２を記憶手段１０１から取得する。上記選択手段１０８は、上記送信された特定情報の印刷装置に対して、取得した加工済データ３１２と印刷命令を送信し、これによって、上記指定された印刷装置は、加工済データ３１２を印刷することになる。
【０１０３】
以上のように記憶手段１０１に印刷装置の特定情報と印刷能力情報を記憶させておくことで、ユーザは印刷能力情報を参照して、複数の印刷装置の中から所望の１つの印刷装置にて加工済データを印刷することができる。
【０１０４】
（実施の形態５）
加工済データ３１２を印刷する際に、上記選択手段１０８が上記記憶手段１０１に記憶されている印刷能力情報と、印刷する加工済データ３１２の属性情報を比較して、加工済データ３１２を印刷する印刷装置を選択するようにしてもよい。
【０１０５】
この場合、ユーザは、実施の形態４のようにして印刷する加工済データ３１２のファイル名とディレクトリ名と印刷要求をデータ処理制御装置１００に送信する。上記選択手段１０８は上記のように当該印刷要求を受信して、以下のようにして加工済データ３１２を印刷する印刷装置の選択を行う。
【０１０６】
まず、上記選択手段１０８は、印刷要求と共に受信したディレクトリ名とファイル名に対応する属性情報２１１と、各印刷装置の特定情報と印刷能力情報を記憶手段１０１から取得する。
【０１０７】
ここで上記選択手段１０８は属性情報２１１の画素数やファイル形式と印刷装置の印刷能力情報に基づいて、加工済データ３１２を印刷する印刷装置を選択する。この選択とは、例えば加工済データ３１２のファイル形式のデータを印刷することできる印刷装置を選択したり、加工済データ３１２のピクセル数が多い場合は、より高解像度の印刷装置を選択することである。
【０１０８】
上記選択手段１０８は印刷装置を選択すると、加工済データ３１２と印刷命令とを当該印刷装置に送信し、当該印刷装置は送信された加工済データ３１２を印刷する。
【０１０９】
また、上記のような印刷命令ではモニタ１２１に出力されている加工済データ３１２が印刷されることになる。しかし、上記のように携帯電話１２０Ａのモニタ１２１の解像度は、テレビ画面など比べて小さく、そのため、加工対象データ２１２に比べて画質が粗い（解像度が低い）加工済データ３１２が印刷されてしまうことになる。
【０１１０】
そこで、上記登録手段１１１は、上記のように加工済データ３１２を上記記憶手段１０１に格納する際に、図１１に示すように加工済データ３１２の属性情報３１１に加工前の加工対象データ２１２が記憶されたディレクトリ名３１４を含ませる。
【０１１１】
加工済データ３１２の属性情報３１１に加工前の加工対象データ２１２が記憶されたディレクトリ名３１４が含まれている場合、上記選択手段１０８は、当該ディレクトリから加工対象データ２１２とその属性情報２１１を取得する。
【０１１２】
上記選択手段１０８は取得した加工対象データ２１２の属性情報２１１と、印刷装置の特定情報と印刷能力情報に基づいて印刷装置を選択するようになる。
【０１１３】
上記実施の形態１〜３では出力要求装置１２０Ａ及び出力装置１２０Ｂとして携帯電話１２０Ｂを用いて説明しているが、出力要求装置１２０Ａ及び出力装置１２０Ｂは携帯電話１２０Ａ、１２０Ｂに限られるものではない。例えば、出力要求装置１２０Ａは、ディジタルカメラや撮影機能付きＰＤＡなどの携帯端末などであってもよい。この場合、図１２に示すようにユーザは撮影機能を有する携帯端末Ａで撮影した画像データを加工対象データ２１２として加工済データ３１２を出力する携帯端末Ｂの出力能力情報２０２と共にデータ処理制御装置１００に送信し、これをデータ処理制御装置１００により携帯端末Ｂ用に加工すれば、撮影した画像データを携帯端末Ｂで表示することが可能となることはいうまでもない。
（実施の形態６）
以上のようにデータ処理制御装置１００は、出力装置１２０Ｂの出力能力に適したデータ形式に加工対象データ２１２を加工できるので、所定の出力要求装置１２０Ａから出力能力が異なる出力装置１２０Ｂに加工対象データ２１２を送信する際に、データ処理制御装置１００で加工対象データ２１２を加工してもよい。
【０１１４】
例えば、図１３に示すようにユーザＡが自分の携帯電話１２０Ａ（出力要求装置１２０Ａ）に記憶された画像データをユーザＢの携帯電話１２０Ｂ（出力装置１２０Ｂ）に送信する場合を想定する。
【０１１５】
まずユーザＡは、携帯電話１２０Ａのモニタ１２１に図３（ａ）に示す画面が表示されている状態において、上記のように「１．データ処理制御装置」を選択し、ついで図３（ｂ）の「３．加工対象データの送信要求」を選択する。「３．加工対象データの送信要求」が選択されると、上記表示制御手段１２４は、図３（ｂ）に示すように「３．１出力装置のデータ」と「３．２データ処理制御装置のデータ」をモニタ１２１に表示する。
ここでは、携帯電話１２０Ａに記憶された画像データを送信するので、ユーザＡは「３．１出力装置のデータ」を選択する（図１４、Ｓ１４０１）。
【０１１６】
「３．１出力装置のデータ」が選択されると、上記表示制御手段１２４は、携帯電話１２０Ａの記憶手段１２２に記憶された画像データのファイル名を図３（ｃ）のようにモニタ１２１に表示する。ユーザは、表示されたファイル名から、ユーザＢの携帯電話１２０Ｂに送信したい画像データのファイル名を選択する（図１４、Ｓ１４０２）。なお、ここで表示制御手段１２４が表示する内容は、ファイル名に限らず、ファイル名に加えて画像データのピクセル数、データサイズ、ファイル形式、ディレクトリ名を表示してもよいし、画像のサムネルを表示してもよい。
【０１１７】
ファイル名が選択されると、上記表示制御手段１２４は、図１３に示すようにユーザＢの携帯電話１２０Ｂの特定情報を入力する画面をモニタ１２１に表示する。ここでユーザＡは、特定情報としてユーザＢの携帯電話１２０Ｂのメールアドレスを入力する（図１４、Ｓ１４０３）。
【０１１８】
メールアドレスが入力され決定ボタン１２５が押下されると、上記通信制御手段１２３は、ユーザＡが選択した画像データと当該画像データの属性情報２１１を上記記憶手段１２２から取得する。そして、上記通信制御手段１２３は、取得した画像データと属性情報２１１と携帯電話１２０Ｂのメールアドレスとを含む他の機器への画像データの出力要求である送信要求を上記データ処理制御装置１００に送信する（図１４、Ｓ１４０４）。
【０１１９】
上記送信要求は、上記通信制御手段１０９を介して上記抽出手段１０４にて受信される（図１４、Ｓ１４０５）。送信要求を受信すると、上記抽出手段１０４は、送信要求に含まれる携帯電話１２０Ｂのメールアドレスにて特定される携帯電話１２０Ｂの出力能力情報２０２が記憶手段１０１に記憶されているかどうか判断する（図１４、Ｓ１４０６）。
【０１２０】
記憶されていると判断した場合、上記抽出手段１０４は、上記記憶手段１０１から携帯電話１２０Ｂの出力能力情報２０２を取得する。そして上記抽出手段１０４は、携帯電話１２０Ａから送信された画像データとその属性情報２１１とメールアドレスと取得した出力能力情報２０２を上記加工手段１０５に入力する。上記加工手段１０５は、画像データの属性情報２１１と出力能力情報２０２を用いて実施の形態１のように画像データを加工する（図１４、Ｓ１４０７）。
【０１２１】
上記加工手段１０５は、加工が完了すると、加工した画像データとその属性情報３１１と携帯電話１２０Ｂのメールアドレスを上記出力手段１０６に出力する。上記出力手段１０６は、画像データと属性情報３１１とメールアドレスが入力されると、画像データとその属性情報３１１を添付した電子メールをユーザＢの携帯電話１２０Ｂに上記通信制御手段１０９を介して送信する（図１４、Ｓ１４０８）。
【０１２２】
以上のように、ユーザＡの携帯電話１２０Ａから送信された画像データは、上記加工手段１０５によって、ユーザＢの携帯電話１２０Ｂのモニタ１２１が表示できる形式に変換される。よって、本来携帯電話１２０Ｂのモニタ１２１が表示できない画像データであっても、上記加工手段１０５にて画像データが加工されることで携帯電話１２０Ｂのモニタ１２１に表示される。
【０１２３】
また、上記判断ステップ１５０６において携帯電話１２０Ｂの出力能力情報２０２が上記記憶手段１０１に記憶されていないと判断すると、上記抽出手段１０４は、携帯電話１２０Ｂのメールアドレスと出力能力情報２０２の取得命令を上記取得手段１０２に転送する。メールアドレスと取得命令を受信すると、上記取得手段１０２は、携帯電話１２０Ａから送信された画像データを受信するかどうかを問い合わせる問い合わせ電子メールＭ（図１３に示す）を上記通信制御手段１０９を介して携帯電話１２０Ｂに送信する（図１４、Ｓ１４０９）。
【０１２４】
ユーザＢは問い合わせ電子メールＭを受信すると、携帯電話１２０Ａから送信された画像データを受信するかどうか判断し、問い合わせ電子メールＭに記述された「ＹＥＳ」または「ＮＯ」のラジオボタンｍ１、ｍ２のいずれかにチェックを入れる（図１４、Ｓ１４１０）。
【０１２５】
ユーザＢが「ＹＥＳ」のラジオボタンｍ１にチェックを入れると、上記問い合わせ電子メールＭに添付されたアプリケーションが携帯電話１２０Ｂの出力能力情報２０２をＲＯＭ１２６から取得して、当該出力能力情報２０２を上記データ処理制御装置１００に送信する。もちろん、ユーザＢ自身が、携帯電話１２０Ｂの出力能力情報２０２を電子メールに添付してデータ処理制御装置１００に送信してもよい。
【０１２６】
上記アプリケーションが送信した携帯電話１２０Ｂの出力能力情報２０２は、上記通信制御手段１０９を介して抽出手段１０４に受信される。
【０１２７】
上記抽出手段１０４は、出力能力情報２０２を受信すると、携帯電話１２０Ａから送信された画像データとその属性情報２１１と携帯電話１２０Ｂのメールアドレスと転送された出力能力情報２０２を上記加工手段１０５に入力する（図１４、１４０７）。そして上記加工手段１０５は、上記のように画像データを加工して、出力手段１０６を介して、加工した画像データとその属性情報３１１を添付した電子メールＰを携帯電話１２０Ｂに送信する（図１４、Ｓ１４０８）。
【０１２８】
ユーザＢが上記問い合わせ電子メールＭの「ＮＯ」のラジオボタンｍ２にチェックを入れた場合、上記問い合わせ電子メールＭに添付されたアプリケーションは、受信が拒否された旨を上記取得手段１０２に送信する。上記取得手段１０２は、上記通信制御手段１０９を介して拒否された旨を受信すると、上記抽出手段１０４に受信が拒否された旨を通知する。
【０１２９】
上記拒否された旨が通知されると、上記抽出手段１０４は、携帯電話１２０Ａから送信された画像データを携帯電話１２０Ｂに送信せずに、携帯電話１２０Ａに、携帯電話１２０Ｂに画像データの受信が拒否された旨を通知する。
【０１３０】
また、ユーザＡが携帯電話１２０Ａの記憶手段１２２でなくて、データ処理制御装置１００の記憶手段１０１に記憶された画像データをユーザＢに送りたい場合もある。
【０１３１】
この場合、ユーザＡは、携帯電話１２０Ａのモニタ１２１に図３（ｂ）に示す内容が表示されている状態で「３．加工対象データの送信要求」を選択し、ついで「３．２データ処理制御装置のデータ」を選択する（図１４、Ｓ１４１１）。
【０１３２】
「３．２データ処理制御装置のデータ」が選択されると、上記通信制御手段１２３は、実施の形態１のように、抽出要求と携帯電話１２０Ａの特定情報２０１をデータ処置制御装置１００に送信する。この抽出要求と携帯電話１２０Ａの特定情報２０１は、上記抽出手段１０４に受信され、上記抽出手段１０４は、実施の形態１のように記憶手段１０１に記憶されている属性情報２１１を携帯電話１２０Ａに送信する。
【０１３３】
上記抽出手段１０４から送信された属性情報２１１は、携帯電話１２０Ａの通信制御手段１２３を介して上記表示制御手段１２４にて受信され、上記表示制御手段１２４は、受信した属性情報２１１を図６（ａ）に示すようにモニタ１２１に表示する。
【０１３４】
ユーザＡは、モニタ１２１に表示された属性情報２１１から図６（ｂ）に示すように携帯電話１２０Ｂに送信したい画像データの属性情報２１１（レコード）を選択する（図１４、Ｓ１４１２）。レコードが選択されると、上記表示制御手段１２４は、図１３に示すようにユーザＢの携帯電話１２０Ｂの特定情報を入力する画面をモニタ１２１に表示する。ユーザＡにて携帯電話１２０Ｂのメールアドレスが入力されると、上記通信制御手段１２３は、ユーザＡが選択した属性情報２１１と携帯電話１２０Ａの特定情報２０１とメールアドレスを含む送信要求を上記データ処理制御装置１００の抽出手段１０４に送信する（図１４、Ｓ１４０３→Ｓ１４０４）。
【０１３５】
ここでの送信要求には「３．１出力装置のデータ」が選択された場合と違って、画像データが含まれていないので、上記抽出手段１０４は、送信要求を受信すると、送信要求に含まれる属性情報２１１のディレクトリ名とファイル名を参照して、当該属性情報２１１に対応する画像データと属性情報２１１を記憶手段１０１から取得する。画像データと属性情報２１１を取得すると、上記抽出手段１０４は、「３．１出力装置のデータ」を選択した場合と同じように、上記加工手段１０５に画像データと属性情報２１１とメールアドレスを入力する。当該画像データと属性情報２１１は、加工手段１０５にて加工され、携帯電話１２０Ｂに所定の出力要求装置１２０Ａを利用して、データ処理制御装置１００に記憶された画像データを他の出力装置１２０Ｂのモニタ１２１が表示できる形式に変換して、他の出力装置１２０Ｂに送信することができる。
【０１３６】
上記データ処理制御装置１００は、ホームサーバ等に実装して個人の加工対象データ２１２を記憶したり、加工したりするだけでなく、インターネットに接続されて、記憶手段１０１を複数の契約者に使用させるための商業用の加工対象データサーバとして用いられてもよい。
【０１３７】
商業用としてデータ処理制御装置１００を用いると、上記記憶手段１０１には、大量の加工対象データ２１２が記憶されることが予想される。すると、例えばデータ処理制御装置１００の契約者が、実施の形態１のように携帯電話１２０Ａから抽出要求をデータ処理制御装置１００に送信すると、大量の加工対象データ２１２の属性情報２１１がデータ処理制御装置１００から送信される。大量の属性情報２１１から所望の加工対象データ２１２の属性情報２１１を見つけることは、非常に煩わしい。
【０１３８】
データ処理制御装置１００から送信される属性情報２１１の中には、他の契約者の加工対象データ２１２の属性情報２１１がある。そこで、例えば各契約者の携帯電話１２０Ａには、各契約者の加工対象データ２１２の属性情報２１１のみが送信されるようにして、データ処理制御装置１００から送信される属性情報２１１の量を減らす。
【０１３９】
そのため、上記加工対象データサーバの運営者は、図１５に示すように各契約者に記憶手段１０１の中から所定の領域を各契約者の専用領域１０１ａとして貸し出して、各契約者に各契約者の専用領域１０１ａへアクセスするためのパスワードＰＷを付与しておく。一方加工対象データサーバの運営者は、抽出手段１０４にパスワードＰＷと、当該パスワードＰＷが付与された契約者の携帯電話１２０Ａの特定情報２０１と、当該パスワードＰＷと対応する専用領域１０１ａを対応付けたアクセステーブル１０４ａを記憶させる。
【０１４０】
各契約者は、自分の加工対象データ２１２の属性情報２１１を見る場合、例えば専用領域１０１ａにアクセスするためのパスワードＰＷを携帯電話１２０Ａに入力して、上記のように携帯電話１２０Ａから上記データ処理制御装置１００へ抽出要求と特定情報２０１を送信する。上記抽出手段１０４はパスワードＰＷと抽出要求と特定情報２０１を受信すると、当該パスワードＰＷと特定情報２０１が上記アクセステーブル１０４ａに対応付けられているかどうか判断する。
【０１４１】
対応付けられている場合、上記抽出手段１０４は、携帯電話１２０Ａから送信されたパスワードＰＷと対応付けられた専用領域１０１ａから属性情報２１１を取り出して携帯電話１２０Ａに送信する。これにより、契約者の携帯電話１２０Ａには、自分の加工対象データ２１２の属性情報２１１のみが送信されることになる。
【０１４２】
対応付けられていないと判断すると、上記抽出手段１０４は、属性情報２１１の取得を行わずに、例えば携帯電話１２０Ａに属性情報２１１の取り出しができない旨を通知する。
【０１４３】
（実施の形態７）
上記取得手段１０２は、出力要求装置１２０Ａ、又は出力装置１２０Ｂから送信された加工対象データ２１２を記憶させるディレクトリ名として、加工対象データ２１２と共に送信される出力要求装置１２０Ａ、又は出力装置１２０Ｂの特定情報２０１を用いてもよい。
【０１４４】
ディレクトリ名に特定情報２０１を利用すると、複数台（複数人）の携帯電話１２０Ａ、１２０Ｂから上記データ処理制御装置１００に同一のファイル名の加工対象データ２１２が送信されても、それらは別々のディレクトリ内に登録されることになる。そのため、上記抽出手段１０４がこれらのファイルを区別することができる。
【０１４５】
例えば出力装置１２０Ｂから送信された特定情報２０１がＩＰアドレス（２１０．１４５．１０８．０１）である場合、上記取得手段１０２は、上記加工対象データ２１２の格納先のディレクトリ名として、「２１０．１４５．１０８．０１」を用いる。よって、ＩＰアドレス（２１０．１４５．１０８．０１）の出力装置１２０Ｂから転送された加工対象データ２１２は、図１６に示すように全て「２１０．１４５．１０８．０１」のディレクトリに格納されることになる。
【０１４６】
また、上記のように取得手段１０２は、ＷＥＢサイトやＣＤ−Ｒ、ＤＶＤ−Ｒ、ＳＤ−ｃａｒｄ等から上記加工対象データ２１２を取得した場合、当該加工対象データ２１２のディレクトリ名として、ＷＥＢサイトのＵＲＬ（Uniform Resource Locator）や、記憶媒体の種類名等を用いてもよい。
【０１４７】
同様に実施の形態３における上記登録手段１１１が加工済データ３１２を記憶するディレクトリ名として、出力要求を送信した携帯電話１２０Ｂの特定情報２０１を用いてもよい。
【０１４８】
この場合、出力要求を送信した携帯電話１２０Ｂの特定情報２０１を登録手段１１１に知らせるため、上記加工手段１０５は、上記加工済データ３１２と属性情報３１１と共に抽出手段１０４から転送された特定情報２０１を上記登録手段１１１に転送する。
【０１４９】
例えば上記加工手段１０５から転送された特定情報２０１が携帯電話１２０ＢのＩＰアドレス（２１０．１４５．１０８．０１）である場合、上記登録手段１１１は、上記加工済データ３１２の格納先のディレクトリ名として、「２１０．１４５．１０８．０１」を用いる。よって、上記携帯電話１２０Ｂのモニタ１２１の出力能力情報２０２に基づいて生成された加工済データ３１２は、全て「２１０．１４５．１０８．０１」のディレクトリに格納されることになる。
【０１５０】
【発明の効果】
以上のように、上記データ処理制御装置１００は携帯電話等の出力要求装置１２０Ａから出力要求とを受信すると、出力装置１２０Ｂの出力手段（モニタ）１２１の出力能力に適した形式に加工対象データ２１２を加工し、加工した加工対象データ２１２（加工済データ３１２）を出力装置１２０Ｂに出力する。
【０１５１】
したがって、上記データ処理制御装置１００が、加工対象データ２１２のピクセル数を表示手段１２１のドット数と同じになるように解像度変換して出力装置１２０Ｂに出力することで、本来のピクセル数が出力装置１２０Ｂの表示手段１２１のドット数よりも多い加工対象データの全体を表示手段１２１に表示することができる。
【０１５２】
また、加工対象データ２１２の所定のピクセルを削除することで、出力装置１２０Ｂのユーザが必要とする部分の加工対象データ２１２のみを表示手段１２１に出力させることができる。
【０１５３】
また、加工対象データ２１２の加工は上記データ処理制御装置１００にて行われるので、上記出力要求装置１２０Ａ、出力装置１２０Ｂは加工対象データ２１２の加工に関わることがなく、そのため出力要求装置１２０Ａ、出力装置１２０ＢのＣＰＵ等が加工処理のために占有されることがない。
【図面の簡単な説明】
【図１】データ処理制御システムの概略図
【図２】データ処理制御装置の記憶手段の概念図
【図３】加工対象データの出力・登録・送信を行うときのモニタの図
【図４】充電器とデータ処理制御装置の概略機能ブロック図
【図５】加工の手順を示したフローチャート
【図６】加工する加工対象データを選択するときのモニタの図
【図７】加工履歴情報が加工対象データの属性情報に記述されたことを示す概念図
【図８】加工手順を示したフローチャート
【図９】加工対象データの所定のピクセルを削除するときのモニタの図
【図１０】モニタの初期画面を示した図
【図１１】データ処理制御装置の記憶手段の概念図
【図１２】異なる携帯端末間で加工対象データの通信を行う場面を示した図
【図１３】異なる携帯電話間で加工対象データの通信を行う場面を示した図
【図１４】加工の手順を示したフローチャート
【図１５】加工対象データサーバとして用いたデータ処理制御装置の概念図
【図１６】加工済データと属性情報が記憶されたディレクトリ名が記述された属性情報の概念図。
【符号の説明】
１００  データ処理制御装置
１０１  記憶手段
１０２  取得手段
１０４  抽出手段
１０５  加工手段
１０６  出力手段
１０８  選択手段
１２０  出力装置
１２１  表示手段
【図１】
2004177987.tif 000003
【図２】
2004177987.tif 000004
【図３】
2004177987.tif 000005
【図４】
2004177987.tif 000006
【図５】
2004177987.tif 000007
【図６】
2004177987.tif 000008
【図７】
2004177987.tif 000009
【図８】
2004177987.tif 000010
【図９】
2004177987.tif 000011
【図１０】
2004177987.tif 000012
【図１１】
2004177987.tif 000013
【図１２】
2004177987.tif 000014
【図１３】
2004177987.tif 000015
【図１４】
2004177987.tif 000016
【図１５】
2004177987.tif 000017
【図１６】
2004177987.tif 000018